(57)【要約】      （修正有）【課題】ヘッドホンを付けて移動中に、本来の音を楽しみながら周囲の危険を検出できるリストバンドを提供する。【解決手段】リストバンド１は、端末制御部１０２で、マイク１０４が集音した音の中から特徴的な周波数の音声を特定音として特定音記憶部１０７に記憶する。操作部１０１で危険アラーム通知機能の操作を検出すると、端末制御部１０２は、集音した音を類似度測定部１０６へ送り、周囲音に登録されている特定音と類似成分が含まれていた場合、リストバンドは、音楽再生しているスマートフォン２と接続し、類似度測定部１０６で、集音した周囲音の中に特定音記憶部１０７に記憶されたクラクション等の特定音を検出すると、制御コマンド生成部１１０が、特定音に応じて、スマートフォン２へ音量減少要求、音楽停止要求、警告メッセージ送出要求の何れかを送信し、スマートフォンは再生中の音楽の音量減少、音楽停止、警告メッセージを再生する。【選択図】図２
2016139944.tif 000002
【特許請求の範囲】
【請求項１】
音を再生する機能を備える所定の携帯端末と接続し、当該携帯端末が再生中の音の音量に係る制御を当該携帯端末に実行させる音量制御手段を備えるウェアラブル機器であって、
自ウェアラブル機器の周囲からの音を入力する周囲音入力手段と、自ウェアラブル機器を携帯する者への注意喚起に係る１以上の特定音を予め登録しておく特定音登録手段と、前記周囲音入力手段が入力した周囲音に前記特定音登録手段に登録されている特定音のいずれかと類似な成分が含まれているか否かを検知する特定音検知手段と、を有し、
前記周囲音入力手段が入力した周囲音に、前記特定音登録手段に登録されている特定音のいずれかと類似な成分が含まれていると判定した場合に、前記音量制御手段は、当該携帯端末を制御して、音の再生を停止させる、または音量を所定値以下に低減させる、または予め登録している所定の警告メッセージを再生させることを特徴とする特定音検知機能を有するウェアラブル機器。
【請求項２】
請求項１に記載のウェアラブル機器であって、
前記特定音登録手段は、複数の注意喚起内容と対応付けて複数の特定音を予め登録しておき、前記周囲音入力手段が入力した周囲音に、前記特定音登録手段に登録されている特定音のいずれかと類似な成分が含まれていると判定した場合に、前記音量制御手段は、当該携帯端末を制御して、当該特定音に対応する注意喚起内容を含む警告メッセージを再生させることを特徴とする特定音検知機能を有するウェアラブル機器。
【発明の詳細な説明】
【技術分野】
【０００１】
本発明は、リストバンドのようなウェアラブル機器に係り、特に、ヘッドホンやイヤホンで音楽等を聴いている人に対して、ベルやクラクション等の警告音への気付きを支援する技術に関する。
【背景技術】
【０００２】
ヘッドホンやイヤホンを付けて音楽を聴きながら歩いている際、後ろから接近する自転車や自動車からのベルやクラクション等の警告音に気付かずに、事故に遭う、または事故に遭いそうになることがある。
【０００３】
このような危険を回避する技術として、例えば、特許文献１には、ヘッドホン装置に外部音を集音する外部音マイクを取り付け、外部音マイクから集音した外部音を一定の音量に調節し、ヘッドホン装置から出力される音楽に重畳して出力する技術が記載されている。
【０００４】
しかしながら、特許文献１に記載された技術では、ヘッドホン装置から出力される音楽等に雑音である外部音が常に重畳されて再生されるので、本来の音質が損なわれるという問題がある。
【先行技術文献】
【特許文献】
【０００５】
【特許文献１】特開２００５−２９５１７５号公報
【発明の概要】
【発明が解決しようとする課題】
【０００６】
そこで、本発明の課題は、ヘッドホンやイヤホンを付けて歩いている場合でも、本来の音質を損なわないで音楽等を楽しむことができ、且つ、後ろから接近する自転車や自動車からのベルやクラクション等の警告音をユーザに察知させることができるウェアラブル機器を提供することにある。
【課題を解決するための手段】
【０００７】
上記課題を解決するために、本発明は、音を再生する機能を備える所定の携帯端末と接続し、当該携帯端末が再生中の音の音量に係る制御を当該携帯端末に実行させる音量制御手段を備えるウェアラブル機器であって、自ウェアラブル機器の周囲からの音を入力する周囲音入力手段と、自ウェアラブル機器を携帯する者への注意喚起に係る１以上の特定音を予め登録しておく特定音登録手段と、前記周囲音入力手段が入力した周囲音に前記特定音登録手段に登録されている特定音のいずれかと類似な成分が含まれているか否かを検知する特定音検知手段と、を有し、前記周囲音入力手段が入力した周囲音に、前記特定音登録手段に登録されている特定音のいずれかと類似な成分が含まれていると判定した場合に、前記音量制御手段は、当該携帯端末を制御して、音の再生を停止させる、または音量を所定値以下に低減させる、または予め登録している所定の警告メッセージを再生させることを特徴とする。
【発明の効果】
【０００８】
本発明によれば、ベルやクラクション等の警告音に反応して再生中の音楽等を自動停止させるので、歩行中であっても、ユーザは本来の音質で再生される音楽等を安心して楽しめるという効果がある。
【０００９】
また、ベルやクラクション等の警告音以外にも、例えば、自動車や自転車のブレーキ音，スリップ音、交差点の信号音、危険な機械の作動音等も特定音として登録でき、種々の危険に対する注意喚起を促すことができる。
【図面の簡単な説明】
【００１０】
【図１】図１は、本発明の実施形態に係るリストバンドを含む全体構成図である。
【図２】図２は、本発明の実施形態に係るリストバンドの機能ブロック図である。
【図３】図３は、本発明の実施形態に係るリストバンドの動作フロー図である。
【図４】図４は、本発明の実施形態に係るリストバンドの特定音記憶テーブルである。
【発明を実施するための形態】
【００１１】
以下、発明を実施するための形態に関し、ウェアラブル機器としてリストバンドを例に、図面を用いて説明する。図１は、本発明の実施形態に係るリストバンド１を含む全体構成図である。
【００１２】
図示するように本発明は、リストバンド１と、スマートフォン２と、ヘッドホン３と、ベル４と、から構成される。
【００１３】
リストバンド１は、ユーザが装着するウェアラブル機器であり、外部からの音声を集音し警告音を検出する検出装置であり、スマートフォン２に対してＢｌｕｅｔｏｏｔｈ（登録商標）によりメッセージを送信する。
【００１４】
スマートフォン２は、ユーザが携帯している音源を有する無線端末であり、リストバンド１からの要求メッセージを受信し、受信した要求に応じて音楽を制御し、当該音楽の音量を減少・増大、または当該音楽を停止、さらにリストバンド１から送られてきた警告音声を含むメッセージ（以下、警告メッセージと呼称）を再生中の音楽に重畳して再生する。
【００１５】
ヘッドホン３は、スマートフォン２に接続される音響装置である。ヘッドホン３は、スマートフォン２に接続され、当該スマートフォン２が再生した音楽を出力する。
【００１６】
ベル４は自転車に装着された警告音（以下、特定音と呼称）を鳴動する装置である。ベル４は、自動車のクラクションやブレーキ音、電車の警笛音等であってもよい。
【００１７】
図２は、本発明の実施形態に係るリストバンド１の機能ブロック図である。図示するように、リストバンド１は操作部１０１と、端末制御部１０２と、表示部１０３と、マイク１０４と、無線通信部１０５と、類似度測定部１０６と、特定音記憶部１０７と、音量計測部１０８と、危険アラーム通知判定部１０９と、制御コマンド生成部１１０と、から構成される。
【００１８】
操作部１０１は、特定操作等、ユーザの入力操作を受付ける入力インターフェースである。
【００１９】
端末制御部１０２は、リストバンド１の端末に係る処理全般を制御する。また、端末制御部１０２は、特定音を登録する機能と、危険アラームを通知する機能とを有し、ユーザからの特定操作によりいずれかの機能を起動する。具体的には、操作部１０１を介してユーザの特定音登録機能を起動する操作（以下、特定音登録機能起動操作と呼称）を検出すると、端末制御部１０２は、マイク１０４を起動し、一定期間、集音した音の中から特徴的な周波数の音声を特定音として特定音記憶部１０７に記憶するとともに当該特定音の種別（例えば、種別１等）を記憶する。また、警告音メッセージ（例えば、避難してください）を記憶する。一方、操作部１０１を介してユーザの危険アラーム通知機能を起動する操作（以下、危険アラーム通知機能起動操作と呼称）を検出すると、端末制御部１０２は、マイク１０４を起動し、集音した音（以下、周囲音と呼称）を類似度測定部１０６へ渡す。
【００２０】
表示部１０３は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）等の表示部、または音声を再生するスピーカである。
【００２１】
マイク１０４は、外部の音声（以下、外部音と呼称）を集音する集音機器であり、集音した外部音を端末制御部１０２へ送る。
【００２２】
無線通信部１０５は、Ｂｌｕｅｔｏｏｔｈ（登録商標）によってスマートフォン２に接続し無線通信を行う。また、無線通信部１０５は、制御コマンド生成部１１０と連携して生成したコマンドをスマートフォン２へ送信する。
【００２３】
類似度測定部１０６は、端末制御部１０２から、周囲音を渡されると、当該周囲音の周波成分を分析し、特定音記憶部１０７に記憶された特定音と近似する周波数の音が含まれていないかを監視する。特定音と近似する周波数の音声が含まれている場合に、当該周波数の音声と特定音記憶部１０７に記憶された特定音の類似度を算出し、算出した類似度が予め記憶された数値以上であった場合に（以下、特定音の検出と呼称）、当該音声と特定音の種別を音量計測部１０８へ渡す。
【００２４】
特定音記憶部１０７は、マイク１０４で特定音の音声と当該特定音の種別と当該特定音の警告メッセージとを対応付けて特定音記憶テーブル１０７０として記憶する。
【００２５】
図４は、本発明の実施形態に係るリストバンド１の特定音記憶テーブル１０７０を模式的に表した図である。
【００２６】
図示するように、特定音記憶テーブル１０７０は、特定音の音声のフィールドである１０７１と、種別のフィールドである１０７２と、警告メッセージのフィールドである１０７３と、から構成される。
【００２７】
特定音の音声１０７１は、音声データ（波形データ）を保存する。
【００２８】
種別１０７２は、特定音の音声１０７１の音声データ（波形データ）に対応した種別（例えば、種別１：クラクション、種別２：ベル音、種別３：ブレーキ音）を保存する。
【００２９】
警告メッセージ１０７３は、種別１０７２に対応した警告メッセージ（例えば、避難してください）を保存する。
【００３０】
音量計測部１０８は、類似度測定部１０６から音声と特定音の種別を送られてくると、当該音声の音量を計測し、計測した音量と特定音の種別を、危険アラーム通知判定部１０９に渡す。
【００３１】
危険アラーム通知判定部１０９は、音量計測部１０８から計測した音量と特定音の種別を渡されると、スマートフォン２を介して再生中の音楽をどのようにすべきか判定し、制御コマンド生成部１１０へ各制御コマンドの生成を指示する。
【００３２】
具体的には、危険アラーム通知判定部１０９は、新たな特定音の種別、計測した音量を渡されると、特定音記憶テーブル１０７０を参照して当該特定音に警告メッセージがあるか否かを判定する。
【００３３】
警告メッセージがある場合、危険アラーム通知判定部１０９は、警告メッセージを抽出し、制御コマンド生成部１１０へ、警告メッセージ送出要求の生成を指示すると共に、抽出した警告メッセージを渡す。
【００３４】
警告メッセージがない場合、危険アラーム通知判定部１０９は、計測した音量と特定音の種別を記憶し（１回目）、Ｂｌｕｅｔｏｏｔｈ（登録商標）のＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）に準じた音量減少要求を生成、送信するように制御コマンド生成部１１０へ指示する。さらに、危険アラーム通知判定部１０９は、タイマを起動して、所定期間内（例えば１０秒以内）に同じ特定音の種別が渡されるのを待つ。
【００３５】
所定期間内に同じ特定音の種別、計測した音量が渡されると（２回目）、危険アラーム通知判定部１０９は、１回目と２回目において渡された音量を比較する。
【００３６】
２回目の音量の方が１回目の音量よりも大きい場合、危険アラーム通知判定部１０９は、ＡＶＲＣＰに準じた音楽停止要求を生成、送信するように制御コマンド生成部１１０へ指示する。
【００３７】
１回目の音量の方が２回目の音量よりも大きい場合、危険アラーム通知判定部１０９は、ＡＶＲＣＰに準じた音量増大要求（音量減少要求で減少させた音量を元に戻す）を生成、送信するように制御コマンド生成部１１０へ指示する。
【００３８】
またタイマがタイムアウトした場合、危険アラーム通知判定部１０９は、ＡＶＲＣＰに準じた音量増大要求（音量減少要求で減少させた音量を元に戻す）を生成、送信するように制御コマンド生成部１１０へ指示する。また、危険アラーム通知判定部１０９は、記憶している計測した音量を削除する。
【００３９】
制御コマンド生成部１１０は、危険アラーム通知判定部１０９からの指示に応じてスマートフォン２において再生中の音楽を制御する制御コマンドを生成して、生成したコマンドを無線通信部１０５を介してスマートフォン２に送信する。
【００４０】
図３は、本発明の実施形態に係るリストバンド１の動作フロー図である。
【００４１】
本フローは、リストバンド１の電源が投入され、ユーザからの操作を受付け可能な状態から開始する。
【００４２】
リストバンド１は、電源が投入されるとユーザからの危険アラーム通知機能起動操作を受付ける（Ｓ３００）、または特定音登録機能起動操作を受付ける（Ｓ３０５）の何れかの状態になるのを待つ。
【００４３】
危険アラーム通知機能起動操作を受付けると（Ｓ３００、ＹＥＳ）、リストバンド１は、周囲音の集音を開始し、リストバンド１に対応するスマートフォン２とＢｌｕｅｔｏｏｔｈ（登録商標）接続する（Ｓ３０１）。
【００４４】
特定音登録機能起動操作を受付けると（Ｓ３０５、ＹＥＳ）、リストバンド１は、周囲音を一定期間録音する（Ｓ３０６）。次に、リストバンド１は、録音した音声に特徴的な周波数の音声が含まれているか否かを判定する（Ｓ３０７）、特定音登録機能停止操作を受付ける（Ｓ３０８）の何れかの状態になるのを待つ。
【００４５】
特定音登録機能停止操作を受付けた場合（Ｓ３０８、ＹＥＳ）、リストバンド１は、何もせずにステップ３００へ戻る。
【００４６】
録音した音声に特徴的な周波数の音声が含まれている場合（Ｓ３０７、ＹＥＳ）、リストバンド１は、当該音声を特定音として記憶し（Ｓ３０９）、ステップ３００へ移行する。
【００４７】
尚、本実施例では説明を省略するが、ステップ３０９で特定音を記憶する際、さらに警告メッセージを記憶する処理を行うようにしてもよい。
【００４８】
具体的には、特定音を記憶後、リストバンド１が警告メッセージを登録するか否かのガイダンスを送出し、警告メッセージを登録する旨の特定操作を検出した場合に、ステップ３０７と同様の処理を行い、当該音声を警告メッセージとして登録する。図３の説明に戻る。
【００４９】
ステップ３０１で周囲音の集音を開始し、リストバンド１に対応するスマートフォン２とＢｌｕｅｔｏｏｔｈ（登録商標）接続すると、リストバンド１は、特定音（１回目）を検出する（Ｓ３１０）、危険アラーム通知機能停止操作を受付ける（Ｓ３１５）、の何れかの状態になるのを待つ。
【００５０】
特定音（１回目）を検出した場合（Ｓ３１０、ＹＥＳ）、リストバンド１は、特定音記憶テーブル１０７０に、検出した特定音に対応する警告メッセージがあるか否か判定する（Ｓ３１１）。
【００５１】
警告メッセージがある場合（Ｓ３１１、ＹＥＳ）、リストバンド１は、スマートフォン２へ警告メッセージ送出要求を送信するとともに、対応する警告メッセージの音声を送信する（Ｓ３１４）。
【００５２】
警告メッセージがない場合（Ｓ３１１、ＮＯ）、検出した特定音（１回目）の音量を計測・記憶すると共に、所定期間（例えば１０秒）を計測するタイマを起動する（Ｓ３１２）。さらに、リストバンド１は、スマートフォン２へ音量減少要求を送信する（Ｓ３１３）。
【００５３】
そして、リストバンド１は、特定音（２回目）を検出する（Ｓ３２０）、ステップ３１２で起動したタイマがタイムアウトする（Ｓ３２５）、の何れかの状態になるのを待つ。
【００５４】
特定音（２回目）を検出した場合（Ｓ３２０、ＹＥＳ）、リストバンド１は、検出した特定音（２回目）の音量を計測し（Ｓ３２１）、１回目の音量と２回目の音量のどちらの音量が大きいか判定する（Ｓ３２２）。
【００５５】
１回目の音量の方が大きい場合（Ｓ３２２、ＮＯ）、リストバンド１は、ステップ３１５へ移行する。
【００５６】
２回目の音量の方が大きい場合（Ｓ３２２、ＹＥＳ）、リストバンド１は、スマートフォン２へ音楽停止要求を送信する（Ｓ３２３）。そして、リストバンド１は、周囲音の集音を停止し、リストバンド１に対応するスマートフォン２とのＢｌｕｅｔｏｏｔｈ（登録商標）接続を切断し（Ｓ３２４）、ステップ３００へ戻る。
【００５７】
ステップ３１２で起動したタイマがタイムアウトした場合（Ｓ３２５、ＹＥＳ）、リストバンド１は、ステップ３１２で記憶した特定音（１回目）の音量と特定音の種別をクリアする（Ｓ３２６）。そして、リストバンド１は、スマートフォン２へ音量増大要求を送信する（Ｓ３２７）。
【００５８】
危険アラーム通知機能停止操作を受付けると（Ｓ３１５、ＹＥＳ）、リストバンド１は、ステップ３２４へ移行する。
【００５９】
以上、本発明の実施形態について説明した。
【００６０】
本発明の実施形態では、リストバンド１は、ヘッドホン３から音楽を再生しているスマートフォン２と接続し、類似度測定部１０６において、マイク１０４から集音した周囲音の中に特定音記憶部１０７に記憶されたクラクションやベル音等の特定音を検出すると、制御コマンド生成部１１０が、検知した特定音に応じて、スマートフォン２へ音量減少要求、音楽停止要求、警告メッセージ送出要求の何れかを送信する。これを受信したスマートフォン２は再生中の音楽の音量減少、音楽停止、警告メッセージを再生する。
【００６１】
これにより、ベルやクラクション等の警告音（特定音）に反応して再生中の音楽等を自動停止させるので、歩行中であっても、ユーザは、本来の音質で再生される音楽等を安心して楽しめるという効果がある。
【００６２】
また、本発明の実施形態では、特定音を検出した際、特定音記憶テーブル１０７０に、警告音に対応した警告メッセージがある場合、スマートフォン２は、再生中の音楽にミキシングして、警告メッセージを出力する。
【００６３】
これにより、特定音に、身の危険とは関わらない音、例えば電車移動における目的地の○○駅を登録しておけば、目的地に到着した際の「○○駅に到着しました」等のアナウンスに反応して、ユーザに乗り過ごしに対する注意喚起を促すことができる。
【００６４】
また、本発明の実施形態では、リストバンド１は、１回目に特定音を検出した時には、再生中の音楽の音量を小さくする処理をし、２回目の特定音を検出した時には、１回目の音量と２回目の音量を比較し、２回目の音量の方が大きい場合に音楽を停止する処理を行う説明をした。
【００６５】
これにより、２回目の音量の方が大きい、即ち、警告音を鳴らしている自転車や自動車が近づいたことを検出した場合に、１回目の注意喚起とは異なる方法で注意喚起を行うので、危険が間近に迫っていることをユーザに気付かせることができる。
【００６６】
尚、本実施例では、特定音の１回目の検出で音量を下げ、２回目の検出で音楽を停止すると説明しているが、本願はこれに限定されない。例えば、特定音に危険度のランクを付けることで、特定音の１回目の検出で音楽を停止する音を設定してもよい。さらに、逆に１回目で音量をあげて、爆音でユーザに気付かせるようにしてもよい。
【００６７】
尚、本実施例では、音源を有する無線端末をスマートフォン２としているが、本願はこれに限定されない。例えば、Ｂｌｕｅｔｏｏｔｈ（登録商標）機能を有する音楽プレイヤーでもよい。
【００６８】
尚、本実施例では、ウェアラブル機器をリストバンド１として説明しているが、本願はこれに限定されない。例えば、歩数計やペンダント、指輪、メガネなど、体に装着するものであれば何でもよいし、スマートフォン２に当該機能のアプリケーションソフトをインストールし、スマートフォン２の通話用マイクを特定音の検出に利用するようにしてもよい。
【００６９】
尚、本実施例では、音楽を例にして説明しているが、本願はこれに限定されない。例えば、ラジオなどでもよい。
【符号の説明】
【００７０】
１・・・リストバンド
２・・・スマートフォン
３・・・ヘッドホン
４・・・ベル
１０１・・・操作部
１０２・・・端末制御部
１０３・・・表示部
１０４・・・マイク
１０５・・・無線通信部
１０６・・・類似度測定部
１０７・・・特定音記憶部
１０８・・・音量計測部
１０９・・・危険アラーム通知判定部
１１０・・・制御コマンド生成部
１０７０・・・特定音記憶テーブル
１０７１・・・特定音の音声
１０７２・・・種別
１０７３・・・警告メッセージ 
【図１】
2016139944.tif 000003
【図２】
2016139944.tif 000004
【図３】
2016139944.tif 000005
【図４】
2016139944.tif 000006